(57)【特許請求の範囲】
【請求項１】
少なくとも水道栓を有するシンクと、その一側方にガステーブル等の加熱部とを備え、かつカウンタ本体の後面がダイニング側に面しているキッチンカウンタにおいて、
カウンタ本体におけるダイニング側の後面適所に、熱水の吐出栓と、冷水の吐出栓とを設けたことを特徴とするキッチンカウンタ。
【請求項２】
加熱部の近傍に、熱水の吐出栓を設けた請求項１に記載のキッチンカウンタ。
【請求項３】
ダイニング側に供給される冷水を、カウンタ本体内に設けた浄水器により浄化したものとするとともに、ダイニングと加熱部側に供給される熱水は、浄水器により浄化した水を、即湯器により加熱したものとしたことを特徴とする請求項１または２に記載のキッチンカウンタ。
【発明の詳細な説明】
【０００１】
【発明の属する技術分野】
本発明は、使用目的に応じた最適位置に、冷水または熱水の吐出栓を配置したキッチンカウンタに関する。
【０００２】
【従来の技術】
最近のキッチンカウンタの中には、水道水又は給湯器からの温熱水を吐出する通常の共用栓の外に、浄水器よりの清浄水やアルカリ水等を吐出する専用の浄水栓を備えたものがある。
【０００３】
上記共用栓や浄水栓の吐出口、すなわち蛇口は、シンクの後部上方に配置されているのが一般的である。
【０００４】
【発明が解決しようとする課題】
上述のように、水道水及び温熱水の共用栓や浄水栓が、シンクの付近に配置されていると、ガステーブルで使用するやかんや鍋に水道水や清浄水を入れる際に、やかんや鍋をその都度シンクまで移動させなければならず、足や腰が不自由な人には大きな負担となる。
【０００５】
また、食後においてコーヒーやお茶、薬の服用などに用いるお湯や水を迅速に使用できず、ポットに水を補給して保温しておいたり、ダイニングテーブルより離れて、キッチンカウンタまで清浄水を汲みに行かなくてはならないという不便さがある。
【０００６】
本発明は、上記問題点を解決するためになされたもので、鍋等をシンクまで移動させずにそれに温熱水を給湯しうるとともに、ダイニングテーブル側でもお湯や清浄水を使用することができる機能的なキッチンカウンタを提供することを目的としている。
【０００７】
【課題を解決するための手段】
上記目的を達成するために、本発明のキッチンカウンタは、少なくとも水道栓を有するシンクと、その一側方にガステーブル等の加熱部とを備え、かつカウンタ本体の後面がダイニング側に面しているキッチンカウンタにおいて、
カウンタ本体におけるダイニング側の後面適所に、熱水の吐出栓と、冷水の吐出栓とを設けたことを特徴としている。
上記構成の本発明によると、ダイニングテーブルをカウンタ本体の後面に隣接して設置した際、食後のコーヒーやお茶等に用いるお湯又は薬の服用などに用いる冷水を、ダイニングテーブルに居ながらにして、熱水の吐出栓と冷水の吐出栓より迅速に使用することができる。
【０００８】
上記装置において、加熱部の近傍に、熱水の吐出栓を設けるのが好ましい。
このようにすると、上記１の効果に加えて、加熱部より鍋等を移動させずに、熱水を入れることができ、足腰の不自由な人などの負担が軽減される。
【０００９】
上記装置において、ダイニング側に供給される冷水を、カウンタ本体内に設けた浄水器により浄化したものとするとともに、ダイニングと加熱部側に供給される熱水は、浄水器により浄化した水を、即湯器により加熱したものとしたことを特徴とするのが好ましい。
このようにすると、冷水及び熱水が浄化されているので衛生的である。
【００１０】
【発明の実施の形態】
以下、本発明の実施例を図面に基づいて説明すると、図１は、キッチンカウンタの前面側を示す斜視図であり、図２は、キッチンカウンタの後面側を示す斜視図であり、図３は、カウンタ本体内の配管図である。
【００１１】
図１において、図中手前側はキッチン側であり奥側がダイニングとなっており、キッチンカウンタ１は、キッチンとダイニングを区画するように、かつ、後面側がダイニング側に露呈するように配設されており、この後面側には、ダイニングテーブル１２が隣接するように配設されており、その周囲には椅子１３が配設されている。
【００１２】
キッチンカウンタ１のカウンタ本体１５におけるキッチン側には、後述する吐出栓７を有するシンク６と、吐出栓１０を近傍に有するガステーブル９と、が配設されている。
【００１３】
又、図２に示されるように、カウンタ本体１５におけるダイニング側の後面には、後面板５及び、天板２の一部を切り欠いて設けられた凹状の給水部３１が設けられており、この給水部３１の上部には、吐出栓１７が設けられているとともに、その下部には水受部１６が設けられている。
【００１４】
吐出栓７の近傍には、水質や、熱水か冷水かを選択できる選択パネル８が設けられており、これにより選択した所望の水や、近傍に設けられた温度調節レバー１９（図３参照）の調整によって温度調節された所望の温水が、先端の吐出口３２より吐出されるようになっている。
【００１５】
吐出栓１０は、ガステーブル９の後方に隣接して設けられているとともに、その近傍には、水量と、熱水か冷水かを選択できる選択パネル１１が設けられており、これら熱水や冷水が、先端の吐出口３３より吐出されるようになっている。
【００１６】
吐出栓１７は、水受部１６の上方に設けられているとともに、その近傍には熱水か冷水かを選択できる選択パネル１８が設けられており、これら熱水や冷水が、先端の吐出口３４より吐出されるようになっている。これら吐出栓７、吐出栓１０、吐出栓１７は、いずれも、カウンタ本体１５内に配設された水道管に接続されている。
【００１７】
図３には、カウンタ本体１５内の配管構造及び各加熱浄化装置とが示されており、これらを具体的に説明すると、カウンタ本体１５内には、外部に設けられている給湯器（図示を省略する）より給湯管６０を介して配水される所定温度の水道水としての原水を貯留し、これを約摂氏６０度に加熱保温して配水する即湯器２１と、水道管６１を介して供給される水道水としての原水を浄化する浄水器２２と、この浄水器２２により浄化された浄水を、アルカリ水と酸性水とに電気分解する電解槽２３と、即湯器２１より配水された摂氏６０度の原水を浄化する浄水器２４と、浄水器２２より配水された浄水を貯留しこれを沸騰温度に加熱する即湯器２５と、この即湯器２５に貯留された熱水を汲み上げ配水するポンプ２６と、から構成されている。
【００１８】
ここで、水道管６１より供給される原水及び、給湯管６０より供給される原水の経路について説明すると、まず、カウンタ本体１５内に配設された給水管６１より給水される水道水としての原水は、２方向に分岐配水され、一方は吐出栓７に配水されるとともに、他方は、浄水器２２に配水されて浄化され、浄水として配水されると同時に３方弁を介して３方向に分岐配水される。
【００１９】
この３方向に分岐配水される浄水のうち、一部の浄水は電解槽に配水され、この電解槽でアルカリ水と、酸性水とに電気分解され配水され、このうち酸性水はシンク６を介して排水口へ直接排水され、アルカリ水は吐出栓７に配水される。
【００２０】
また、残る２方向に分岐配水される浄水のうち、一方は吐出栓１０に配水され、他方の分岐配水される浄水は、吐出栓７とダイニング側の後面とに分岐配水され、ダイニング側の後面側に分岐配水される浄水は即湯器２５と吐出栓１７とに分岐配水される。
【００２１】
また、給湯器（図示を省略する）より給湯管６０を介して供給される原水は、まず、即湯器２１において摂氏６０度に保たれながら貯留されるとともに、吐出栓７と浄水器２４とに配水される。浄水器２４に配水される摂氏６０度の原水は、加熱された浄水として吐出栓１０に配水されるようになっている。
【００２２】
ここで、各吐出栓を使用する場合の操作方法を説明すると、まず、例えば、シンク６において、使用済み食器の洗浄時等において原水を使用し、又は、食材の洗浄時等においてアルカリ水を使用し、又は、飲料水として浄水を使用する場合、吐出栓７の近傍に設けられた選択パネル８の切換ボタン４１で所望の原水、浄水、アルカリ水の何れかを選択し、出・止ボタン４６を押圧する。
【００２３】
この押圧操作によって、所望の２方弁５１、５２、５３の何れかが択一的に開放されるとともに、これらの弁に連なる配管内の２方弁５６、５７と、３方弁５８とが適宜開放され、吐水口３２より所望の温度の原水、又は浄水、アルカリ水の何れかを得ることができる。なお、原水を選択した場合は、温度調節レバー１９を操作することで、即湯器２１を介して約摂氏６０度に加熱された原水と、水道管６１より供給される常温の原水とが混合され、所定温度の原水を得ることができる。
【００２４】
また、給水部３１においては、ダイニングテーブル１２側で食後においてコーヒーやお茶、薬の服用などに用いる加熱浄水や浄水を使用する時に、吐出栓１７の近傍に設けられた選択パネル１８の切換ボタン４２で所望の加熱浄水か浄水かを選択し、出・止ボタン４７を押圧する。
【００２５】
この押圧操作によって、２方弁５４が開放されると同時に、２方弁５９とが適宜開放されるとともに、これらの弁に連なる配管内の２方弁５６、３方弁５８が開放されることで、水道水の流れが発生し、吐水口３４より所望の加熱浄水か浄水かを得ることができる。
【００２６】
さらに、ガステーブル９の近傍に設けられた吐出栓１０において、加熱調理するための鍋ややかんに浄水や加熱浄水を使用する時は、吐出栓１０の近傍に設けられた選択パネル１１の切換ボタン４０で所望の加熱浄水か浄水かを選択し、出・止ボタン４８を押圧する。
【００２７】
この押圧操作によって、２方弁５５が開放されるとともに、これらの弁に連なる配管内の２方弁５７、３方弁５８が適宜開放されることで、水道水の流れが発生し、吐水口３３より所望の加熱浄水か浄水かを得ることができる。
【００２８】
すなわち、吐出栓１７がカウンタ本体１５の後面に設けられているとともに、、浄水、加熱浄水が上述のように配水されるようになっているため、図２に示されるように、カウンタ本体１５の後面に隣接して設置したダイニングテーブル１２において、居ながらにして食後のコーヒーやお茶等に用いる沸騰温度の加熱浄水や、薬の服用などに用いる浄水を吐出口３４より迅速に使用することができる。
【００２９】
さらに、ガステーブル９の近傍には、浄水器２２と浄水器２４とから配水された浄水や加熱浄水を吐出する吐出栓１０が設けられているため、加熱調理するための鍋ややかん等を、シンク６に備えられている吐出栓７まで移動させることなく、浄水や約摂氏６０度の加熱浄水を入れることができる。
【００３０】
このため、僅かな移動で食材の入った重い鍋ややかん等に多量の水を供給できるため、足腰の不自由な人などの負担が軽減される。
【００３１】
また、吐出栓１７と吐出栓１０とには、図３に示されているように浄水器２２又は、浄水器２４によって、それぞれ浄化された浄水や加熱浄水が配水されているため、水道水としての消毒による臭いや味がかなり和らげられるとともに、水道管内の不純物も浄化されるため、衛生的な浄水及び加熱浄水が供給できる。
【００３２】
以上、本実施例を図面に基づいて説明してきたが、本発明はこれら前記した各実施例に限定されるものではなく、本発明の主旨を逸脱しない範囲での変更や追加があっても、本発明に含まれることは言うまでもない。
【００３３】
例えば、本実施例では、吐出栓１０と吐出栓１７とには、１つの吐出口より、冷水又は熱水としての浄水が吐出されるようになっているが、浄水及び加熱浄水の吐出口とをそれぞれ別々に設けても良い。
【００３４】
【発明の効果】
本発明によれば、次のような効果が得られる。
【００３５】
（ａ）請求項１に記載の発明によれば、ダイニングテーブルをカウンタ本体の後面に隣接して設置した際、食後のコーヒーやお茶等に用いるお湯又は薬の服用などに用いる冷水を、ダイニングテーブルに居ながらにして、熱水の吐出栓と冷水の吐出栓より迅速に使用することができる。
【００３６】
（ｂ）請求項２に記載の発明によれば、上記１の効果に加えて、加熱部より鍋等を移動させずに、熱水を入れることができ、足腰の不自由な人などの負担が軽減される。
【００３７】
（ｃ）請求項３に記載の発明によれば、冷水及び熱水が浄化されているので衛生的である。
【図面の簡単な説明】
【図１】本発明の実施例におけるキッチンカウンタの前面側を示す斜視図である。
【図２】本発明の実施例におけるキッチンカウンタの後面側を示す斜視図である。
【図３】本発明の実施例におけるカウンタ本体内の配管図である。
【符号の説明】
１    キッチンカウンタ
２    天板
５    後板
６    シンク
７    吐出栓
８    選択パネル
９    ガステーブル
１０  吐出栓
１１  選択パネル
１２  ダイニングテーブル
１３  椅子
１５  カウンタ本体
１６  水受部
１７  吐出栓
１８  選択パネル
１９  温度調節レバー
２１  即湯器
２２  浄水器
２３  電解槽
２４  浄水器
２５  即湯器
２６  ポンプ
３１  給水部
３２  吐出口
３２  吐水口
３３  吐出口
３３  吐水口
３４  吐出口
３４  吐水口
４０  切換ボタン
４１  切換ボタン
４２  切換ボタン
４６  出・止ボタン
４７  出・止ボタン
４８  出・止ボタン
５１  ２方弁
５２  ２方弁
５３  ２方弁
５４  ２方弁
５５  ２方弁
５６  ２方弁
５７  ２方弁
５８  ３方弁
５９  ２方弁
６０  給湯管
６１  給水管
【図１】
0004234886.tif 000002
【図２】
0004234886.tif 000003
【図３】
0004234886.tif 000004